(57)【特許請求の範囲】
【請求項１】
粉体等を貯蔵するタンク本体と、このタンク本体内に粉体を圧送するための圧送受入パイプと、タンク内部に貯蔵された粉体を移送するための竪型スクリューコンベアと、前記移送された粉体を計量する計量機と、粉塵を排出するバックフィルター及びレベル計を有する移動型のタンクにおいて、タンク上面から所定距離の範囲で円弧状切欠部を設けると共に切欠いた下面を閉塞して棚部を設け、前記棚部の底面にはタンク側面より突出して横置用台を設けると共にタンク下面にも横置台を設けて両者の張出した面を同一とし、円弧状切欠部の円弧部に第１の取付手段を固定し、計量機を囲った枠体の円弧部側に第２の取付手段を固定し、前記第１，第２の取付手段にて計量機を着脱自在とし、タンク内部に設けた竪型スクリューコンベアは前記計量機側に傾斜して取り付けたことを特徴とする移動型タンク。
【請求項２】
第１の手段は所定距離へだてて一対のコ字型アングルを互いに内側に向けて円弧状壁面に固定し、第２の手段は計量機を囲む枠体の円弧壁面側左右両端にコ字型アングルの開口部を互いに外側に向け、かつ前記第１の手段の一対に合せて固定したことを特徴とする請求項１記載の移動型タンク。
【請求項３】
竪型スクリューコンベアは１本ものとし、タンク下部からタンク上面に向けて垂直から７０°の範囲で計量機側へ傾斜させたことを特徴とする請求項１記載の移動型タンク。
【発明の詳細な説明】
【０００１】
【産業上の利用分野】
本発明は、現場においてセメント等の粉体を収納し、ここから取り出した粉体を計量して排出する移動型タンクに関する。
【０００２】
【従来の技術】
セメント等を使用する現場によっては、ミキサー車が入りにくい僻地である場合があり、あるいは現場でのセメント等の使用期間が短く、点々と移動してその都度現場にてセメントを使用する必要がある場合がある。上記必要性により移動型タンクが用いられている。
【０００３】
図５は従来装置の概要構成図であり、これによって従来装置を説明する。１は円筒型タンク（以下、タンクと称す）であり、これを現場に移送して図示のように直立させ、外部からセメント等を収納し、必要量を取り出すようになっている。先ず、２は圧送受入パイプであって下方にある入口（図示せず）から、前記圧送受入パイプ２を経由して図示矢印に従い上方からタンク内に収納される。
【０００４】
圧送されてきたセメントがタンク内に落下するとき粉塵が発生するが、これはバックフィルター３を介して外部へ放出される。タンク内に収納されたセメントは必要の都度、漏斗部４を介して下部に集め、これを横送りスクリューコンベア５と竪型スクリューコンベア６とによって計量機７内に移送し、ここで計量して所定量とした後、ミキサー８に排出するような構成になっている。
【０００５】
【発明が解決しようとする課題】
上記した従来装置は計量機７がタンク１の外壁に固定されて突出しているため、これを横倒して運搬するにしても一体で運ぶことができず、別個に送って現場で取り付けており不便であった。又、現場に設置されたミキサー等に排出するにはミキサーの容量に適合した計量機をその都度必要とする。なお、計量機の種類としては２００ｋｇ，３００ｋｇ，５００ｋｇ，１０００ｋｇ等があり、しかもこれらは各タンクに専用として固定されている。
【０００６】
したがって、計量機のみの交換は簡単にはできないためタンクと共に交換することとなって不都合であった。
本発明は上記課題を解決するためになされたものであり、タンクに対して必要量の計量機の取り付け，取り外しが容易にでき、コンパクトで移動が容易であるばかりか、安価で効率的な移動型タンクを提供することを目的としている。
【０００７】
【課題を解決するための手段】
本発明の［請求項１］に係る移動型タンクは、粉体等を貯蔵するタンク本体と、このタンク本体内に粉体を圧送するための圧送受入パイプと、タンク内部に貯蔵された粉体を移送するための竪型スクリューコンベアと、前記移送された粉体を計量する計量機と、粉塵を排出するバッグフィルター及びレベル計を有する移動型のタンクにおいて、タンク上面から所定距離の範囲で円弧状切欠部を設けると共に切欠いた下面を閉塞して棚部を設け、前記棚部の底面にはタンク側面より突出して横置用台を設けると共にタンク下面にも横置台を設けて両者の張出した面を同一とし、円弧状切欠部の円弧部に第１の取付手段を固定し、計量機を囲った枠体の円弧部側に第２の取付手段を固定し、前記第１，第２の取付手段にて計量機を着脱自在とし、タンク内部に設けた竪型スクリューコンベアは前記計量機側に傾斜して取り付けるよう構成し、従来の横送りと垂直竪型スクリューコンベアとの２本の組合せを１本化して簡略構成とした。
【０００８】
本発明の［請求項２］に係る移動型タンクは、［請求項１］において、第１の手段は所定距離へだてて一対のコ字型アングルを互いに内側に向けて円弧状壁面に固定し、第２の手段は計量機を囲む枠体の円弧壁面側左右両端にコ字型アングルの開口部を互いに外側に向け、かつ前記第１の手段の一対に合せて固定した。
【０００９】
本発明の［請求項３］に係る移動型タンクは、［請求項１］において、竪型スクリューコンベアは１本ものとし、タンク下部からタンク上面に向けて垂直から７０°の範囲で計量機側へ傾斜させた。
【００１０】
【作用】
本発明の［請求項１］に係る移動型タンクは、タンク本体の上面から所定長にわたって円弧状切欠部を設けると共に底板にて覆って棚部とし、この棚部を計量機の載置位置としたものである。この場合、計量機の取り付けは円弧状壁面に設けた第１の手段と、計量機の枠体側背面に設けた第２の手段とで差し込み式とすることにより、各種計量機と交換可能としたものであり、又、タンク本体内部に設けた竪型スクリューコンベアは計量機側へ傾斜させて、粉体の移動の便に供した。又、棚部の底面とタンク下部とに横置用台を突出して設けているため、移動時の安定性が確保できる。
【００１１】
本発明の［請求項２］に係る移動型タンクは、［請求項１］において、第１の手段と第２の手段とを互いに内側に向いて固定したコ字型アングルと、互いに外側に向いて固定したコ字型アングルとで構成し、第１のアングルの突出部内に第２のアングルの突出部を差し込むようにしたものであって、着脱がクレーンのみにて簡単にできる。
【００１２】
本発明の［請求項３］に係る移動型タンクは、［請求項１］において、タンク本体内の竪型スクリューコンベアを計量機側に垂直から７０°の範囲で傾斜させたため、竪型スクリューコンベアと接続筒との接続角度が大きくなって、粉体の移動が楽になる。
【００１３】
【実施例】
以下図面を参照して実施例を説明する。
図１は本発明における移動型タンクの一実施例の構成図であり、図５と同一部分については同一符号を付して説明を省略する。なお、図１（ａ）は内部を透視して示す側面図、図１（ｂ）は平面図、図１（ｃ）は図１（ｂ）から構造物を取除いて示した平面図である。
【００１４】
図５との差を主として説明する。竪型スクリューコンベア６−１は正面側にやや傾斜（垂直から７０°まで）して設け、上部にある接続筒９との接続をスムーズにできるようにしてある。又、下部には竪型コンベア駆動機（モータ）１０を設け、ベルトを介してコンベアを作動する。又、図５の横送りスクリューコンベアをなくし、傾斜した竪型スクリューコンベア１本とした。
【００１５】
１１はタンクの上面から所定長さにわたって切欠いた円弧状切欠部であり、その底部には横置用台１２がタンク本体に固定されている。この場合の計量機７の具体的支持構成は後述するが、枠体１３によって支持され、円弧状切欠部１１側においてアングル１４（後述する）にて差し込み自在として固定される。１５は跳上式の点検床、１６は手摺である。
【００１６】
漏斗部４の下部には排出量調整ゲートがあり、この部分を通ったセメントは合流部１８を介して竪型スクリューコンベア６−１と合流する。１９はタンクの上面板でありこの部分は周縁に平鋼板（後述する）を設けて昇降用のタラップ２０を係止する。又、２１は差込式の手摺である。
【００１７】
なお、２２はマンホール、２３はレベル計である。又、セメント等のタンク受入口２４はホースの重さや雨水の浸入を防止するために３０°〜４５°下向きに取り付け、運搬時に支障とならない寸法の張出に止める。
【００１８】
図２は取り外し自在の計量機の構成例図であり、左側面図として示す。計量機７を支持するためにアングル１３にて周囲を囲い、左右の背面にはコ字型鋼２５を正面（図２の右方）からみて互いに外側（左右）にコ字型開口部が向くように固定する。したがって図２において２５−１，２５−２が突出してコ字型をなす部分である。２６は計量機の吊りピースであり、計量機全体の重心部分に取り付ける。
【００１９】
図３は円弧状切欠部に設けた取付手段の構成例図である。取付面が円弧をなしているため、介在物２７と支持片２８とを円弧面に固定し、これらに対してコ字型鋼２９を互いに開口部を内側（互いに向き合うよう）に向けて固定する。そして開口部内には角棒３０を円弧状面側に接して固定し、外方に隙間３１を形成する。即ち、隙間３１はコ字型鋼の上から下までに形成される。
【００２０】
したがって計量機７の取り付けは、図３に示すコ字型鋼２５の突出したコ字型部２５−１をコ字型鋼２９の隙間３１へ上方から挿入することにより、支持片２８に接する位置まで差し込まれて固定する。なお、取り外しはその逆をすればよく、隙間３１内に挿入されたコ字型部２５−１を引き上げればよい。これらの場合は、いずれもクレーンにより吊りピース２６にフックを掛けて上げ下しをする。
【００２１】
図４はタンク上面に取り付ける昇降タラップを示し、平鋼板３２を上面板１９の周縁に設け、これに係止部（ひっかけ）３３を掛けて位置を固定する。なお、手摺２１は差込式であるため、これを移動することにより上面板１９のどの位置にも取り付けることが可能である。
【００２２】
次に作用について説明するが、セメントの収納又は排出そのものについては特に異なったところはない。即ち、タンク受入口２４から圧送受入パイプ２−１を用いて上方からタンク内に落下させ、粉塵はバッグフィルター３から排出する。この際、タンク受入口２４に角度３０°〜４５°をもたせているため、ホースの重みや雨水の浸入が防止できる。
【００２３】
収納されたセメントを取り出す場合は、排出量調整ゲート１７を設定し、漏斗部４から合流部１８を経由して竪型スクリューコンベア６−１及び接続筒９にて計量機７にまで移送する。ここでは図示はしないが計量機にはロードセルが取り付けられてあり、、計量機内に収納されたセメントの重量が計られ、これが設定値になると下方へ排出される。
【００２４】
なお、本発明の特徴部分は計量タンクが必要に応じて、容易に交換できることである。即ち、円弧状切欠部１１に取り付けられた計量タンクは壁面との間で単に差し込みだけで固定されているため、リフトを用いて簡単に取り付け，取り外しができる。
【００２５】
しかも移動時には、跳ね上式の点検床１５を上方に跳ね上げると、横置用台１２と同一端部となり、上下の各部にある２つの横置用台の張り出しが同一レベルになる。しかも横置用台１２は図１（ｂ）に示されるように、タンク１の周縁部から矩形のテーブル状に突出しているため、このタンクを横倒しにして、地面に対して横置用台１２を接するようにすれば、極めて安定した状態とすることができる。
【００２６】
【発明の効果】
以上説明したように、本発明によれば以下に列挙する効果を奏する。
（１）タンクに円弧状切欠部をつくって、この部分に計量タンクを取り外し自在として取り付けたので、ミキサーの容量に適合した計量機を任意に設置でき、作業性が向上する。
（２）計量タンクは横置用台の上部に設置し、点検床を跳ね上げることにより、下部に設けた横置用台と張り出し線が同じになるため、移動に際し、この横置用台を設置すれば、全体がコンパクトになるばかりか安定な位置をとることができるため移動が便利である。
（３）タンクよりの排出に用いる竪型スクリューコンベアは１本ものとし、しかもタンク下部より上面に向けて垂直から７０°までの傾斜をもって設置したので、セメント等粉体の計量機への投入が容易となり、定量的な供給が可能となる。（４）タンク上面に設けた手摺は、円周上に均等に差込式として設けているため、手摺を取り外すだけで現場に合った方向にタラップを取り付けられる。
（５）タンク受入口は３０°〜４５°下向きに取り付けているため、使用時にホースに不必要な力が加わることなく、雨水の浸入を防止できる。
（６）タンク上面には排気用集じん機，レベル計，マンホールとタラップ手摺を設けるが、これらが全てタンクに取り付けられた状態で搬送できるため便利である。
【図面の簡単な説明】
【図１】本発明による移動型タンクの一実施例の構成図で、図１（ａ）は側面図であって透視して示した図、図１（ｂ）は上面を示した平面図、図１（ｃ）は上面にある各種構造物を取り除いて示した図。
【図２】取り外し自在の計量機の構成図。
【図３】円弧状切欠部に設けた計量機の取付手段の構成例図。
【図４】昇降タラップの構成例図。
【図５】従来技術を説明する図。
【符号の説明】
１  円筒型タンク
２  圧送受入パイプ
３  バッグフィルター
４  漏斗部
５  横送りスクリューコンベア
６  竪型スクリューコンベア
７  計量機
７−１  計量機ゲート
８  ミキサー
９  接続筒
１０  竪型コンベア駆動機
１１  円弧状切欠部
１２  横置用台
１３  枠体
１４  アングル
１５  跳上式の点検床
１６  手摺
１７  排出量調整ゲート
１８  合流部
１９  上面板
２０  昇降タラップ
２１  手摺（差込式）
２２  マンホール
２３  レベル計
２４  タンク受入口
２５，２９  コ字型鋼
２５−１，２５−２  突出したコ字型部
２６  吊りピース
２７  介在物
２８  支持片
３０  角棒
３１  隙間
３２  平鋼板
３３  係止部
【図１】
0003550585.tif 000002
【図２】
0003550585.tif 000003
【図３】
0003550585.tif 000004
【図４】
0003550585.tif 000005
【図５】
0003550585.tif 000006